(57)【要約】【課題】  プラスチック製の誘導レールを遊技面上に配設する場合であってもしっかりと盤面に固定でき十分遊技領域を確保することのできるパチンコ遊技機を提供すること。【解決手段】  遊技機本体４の天板２２上に遊技盤５を設置し、発射機構から発射されたパチンコ球を前記遊技面に誘導するとともにパチンコ球が落下する遊技領域２３を区画するレールユニット１２５を遊技盤５の遊技面２０に装着したパチンコ遊技機において、アウト球回収口を天板２２に隣接する同遊技面の最下部位置に形成し、前記レールユニット１２５の内レール２５の円弧の最下端位置を同アウト球回収口に対応する位置に配置するようにしたこと。【選択図】        図５
2010240485.tif 000002
【特許請求の範囲】
【請求項１】
支持枠体に支持された遊技機本体と、
同遊技機本体に装着されて遊技者が対面して遊技を行う遊技面を備えた遊技盤と、
同遊技機本体に対して開閉可能に支持され同遊技盤の前方に配置される扉枠と、
遊技者が操作することでパチンコ球を発射させる前記遊技機本体に配設された発射機構と、
前記発射機構から発射されたパチンコ球を前記遊技面に誘導するとともにパチンコ球が落下する遊技領域を区画する円弧状の誘導レールとを備えたパチンコ遊技機において、
前記遊技盤を前記遊技機本体側の設置台上に設置するとともに、前記遊技領域を落下する途中で入賞口に入賞しなかったパチンコ球を前記遊技面から退場させるアウト球回収口を同設置台に隣接する同遊技面の最下部位置に形成し、前記誘導レールの円弧の最下端位置を同アウト球回収口に対応する位置に配置するようにしたことを特徴とするパチンコ遊技機。
【発明の詳細な説明】
【技術分野】
【０００１】
本発明は、発射機構によって発射されたパチンコ球を遊技面に導くレールを備えたパチンコ遊技機に関するものである。
【背景技術】
【０００２】
従来からパチンコ遊技機では遊技者が発射機構を操作して打ち出されたパチンコ球は誘導レールに誘導されて遊技面上部に送り込まれ遊技領域を落下するようになっている。誘導レールは金属製の外レールと内レールとから構成されており、これら外レール及び内レールに包囲された遊技面上の領域が遊技領域とされている。外レールは主として発射されたパチンコ球を遊技領域に誘導する役割をし、内レールは主として重力落下するパチンコ球を遊技領域外にこぼれないように受け止める役割をする。図３８に示すように誘導レール１５５には同誘導レール１５５の固定用の突起１５６が一体形成されており、パチンコ遊技機の製造過程においてプレス装置によってこの突起１５６が遊技面に対して食い込むようにして誘導レール１５５を装着している。
【発明の概要】
【発明が解決しようとする課題】
【０００３】
ところで、このような従来の金属製の誘導レール１５５はリサイクル性がよくない。つまり、再生利用する際の再生コストがかかるため、他の部品はリサイクル用に再利用しても誘導レール１５５は容易には再利用ができなかったり、廃棄処分にしたりしていた。また、上記のような手段で遊技面に固定するため取り外すのも面倒であった。
この場合にリサイクル性のよいプラスチック製の誘導レールを上記金属製の誘導レール１５５の代替品に使用するという可能性が考えられるが、この場合にはいくつかの問題があった。
まず、従来の金属製の誘導レール１５５は突起１５６によってしっかりと盤面にくいこんでいるが、プラスチック製の誘導レールとした場合にはこのような手段を採り得ない。そのためプラスチック製の誘導レールであってもしっかりと盤面に取り付けられるような手段が必要となる。
この場合に別途の取り付け手段、例えば取り付け用フランジなどを形成してこれを介して遊技面に固定することが考えられる。このような取り付け手段では遊技面への接触面積が増し、金属製の誘導レール１５５と同様にしっかりと取り付けることが可能となる。更に、は金属製の誘導レール１５５に比べて取り外しが容易である。しかしその反面、取り付け用フランジが遊技面のスペースを圧迫することとなり、従来のような遊技領域を確保することが場合によっては困難になってしまうこともありうる。
本発明は、このような従来の技術に存在する問題点に着目してなされたものである。その目的とするところは、プラスチック製の誘導レールを遊技面上に配設する場合であってもしっかりと盤面に固定でき十分遊技領域を確保することのできるパチンコ遊技機を提供することにある。
【課題を解決するための手段】
【０００４】
上記の目的を達成するために、請求項１に記載の発明では、支持枠体に支持された遊技機本体と、同遊技機本体に装着されて遊技者が対面して遊技を行う遊技面を備えた遊技盤と、同遊技機本体に対して開閉可能に支持され同遊技盤の前方に配置される扉枠と、遊技者が操作することでパチンコ球を発射させる前記遊技機本体に配設された発射機構と、前記発射機構から発射されたパチンコ球を前記遊技面に誘導するとともにパチンコ球が落下する遊技領域を区画する円弧状の誘導レールとを備えたパチンコ遊技機において、前記遊技盤を前記遊技機本体側の設置台上に設置するとともに、前記遊技領域を落下する途中で入賞口に入賞しなかったパチンコ球を前記遊技面から退場させるアウト球回収口を同設置台に隣接する同遊技面の最下部位置に形成し、前記誘導レールの円弧の最下端位置を同アウト球回収口に対応する位置に配置するようにしたことをその要旨とする。
【０００５】
請求項１の発明のような構成では、アウト球回収口を従来に比べて下方位置に配設することが可能となり、遊技面を拡張できる結果遊技領域を確保することが可能となる。
【発明の効果】
【０００６】
請求項１に記載の発明では、アウト球回収口を従来に比べて下方位置に配設することが可能となり、遊技面を拡張できる結果遊技領域を確保することが可能となる。従って、プラスチック製の誘導レールであっても遊技面上に配設することが可能となる。
【図面の簡単な説明】
【０００７】
【図１】本発明の実施の形態のパチンコ遊技機の開放した状態を示す概略斜視図。
【図２】同じパチンコ遊技機の分解側面図。
【図３】同じパチンコ遊技機の正面図。
【図４】同じパチンコ遊技機の側面図。
【図５】同じパチンコ遊技機の扉枠を外した状態の正面図。
【図６】同じパチンコ遊技機の遊技盤の正面図。
【図７】同じパチンコ遊技機の遊技機本体の上半身の正面図。
【図８】同じパチンコ遊技機の遊技機本体の上半身の側断面図。
【図９】同じパチンコ遊技機の背面図。
【図１０】同じパチンコ遊技機の機構盤を外した状態の背面図。
【図１１】図１０においてメイン基板周辺を取り外した状態の背面図。
【図１２】同じパチンコ遊技機のパチンコ球処理領域付近の斜め上方からの斜視図。
【図１３】図５におけるＡ−Ａ線での断面図。
【図１４】図５におけるＡ−Ａ線での断面図。
【図１５】図５におけるＢ−Ｂ線での断面図。
【図１６】同じパチンコ遊技機の主通路、バイパス通路及び導出口の断面図。
【図１７】図５におけるＣ−Ｃ線での断面図。
【図１８】同じパチンコ遊技機の上受け皿の平面図。
【図１９】同じパチンコ遊技機の上受け皿の断面図。
【図２０】同じパチンコ遊技機の基板取り付けベースの平面図。
【図２１】同じパチンコ遊技機の基板取り付けベースの斜視図。
【図２２】分岐ユニット周辺の切り欠き背面図。
【図２３】同じパチンコ遊技機の基板取り付けベースの正面図。
【図２４】分岐ユニットの分解斜視図。
【図２５】レールユニット及び補強レールの斜視図。
【図２６】図５のＤ−Ｄ線での断面図。
【図２７】図６のＥ−Ｅ線での縦断面図。
【図２８】他の実施の形態の断面図。
【図２９】他の実施の形態の断面図。
【図３０】他の実施の形態の断面図。
【図３１】他の実施の形態の断面図。
【図３２】他の実施の形態の正面図。
【図３３】他の実施の形態であって（ａ）はアウト球誘導部材の斜視図、（ｂ）は要部断面図。
【図３４】レールユニットのゲート付近の拡大断面図。
【図３５】従来のパチンコ遊技機の遊技機本体の一部の正面図。
【図３６】従来のパチンコ遊技機の上受け皿、遊技機本体及び機構盤の一部断面部分平面図。
【図３７】従来のパチンコ遊技機の上受け皿、遊技機本体及び機構盤の一部断面部分平面図。
【図３８】従来のパチンコ遊技機の誘導レールの斜視図。部断面部分平面図。
【発明を実施するための形態】
【０００８】
以下、本発明をパチンコ遊技機に応用した実施の形態について図面に基づいて説明する。特に本実施の形態では従来に比べて遊技面を大型化したパチンコ遊技機に本発明を化体させて説明する。ここに「従来に比べて大型化した遊技面を備えたパチンコ遊技機」とは遊技者の興趣をより盛り上げるために遊技面を大型化した機種であり、遊技面が大型化することにより遊技面中央に配置される表示装置の液晶画面を大きくすることが可能となり、迫力ある大画面を遊技者は享受でき遊技者に対するアピール度が増すことができる機種である。更に、同機種では遊技面が大きくなるため左右方向への遊技球（パチンコ球）の拡散度が大きくなり遊技自体の視覚的な刺激が増すこととなり、落下する遊技球の落下距離も長くなるため遊技球が入賞口に入賞するかどうかの期待感も増すこととなるものである。
尚、以下の説明においては前面、前方或いは表面側とは遊技者が正対する側をいい、後面、後方或いは背面側とはそれら正対する側の反対側をいう。また、特記なき限り左右とは前面からみた左右方向をいう。
【０００９】
図１及び図５に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。
外枠１には遊技機本体４が装着されている。遊技機本体４はパチンコ遊技機の構造的な中核を形成するパネル状の構成部材であってヒンジ金具６の回動軸６ａを中心に回動し外枠１に対して図２に示す開閉用金具４ａによって開閉可能にかつ着脱可能に装着されている。
図２に示すように、遊技機本体４を中心としてその他のパネル状の構成部材がその前後方向に積層状に配置されている。まず図２に基づいて各構成部材の概略の配置状態とそれらに付随する主要構成部材について説明し、次いで個々の構成部材について詳述する。
遊技機本体４の上半身に形成された遊技盤取り付けスペース９には遊技盤５が嵌合されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。
遊技盤５の後方位置には遊技盤５を背面から覆うように機構盤１０が配設されている。機構盤１０の直下には取り付けベース１１が配設されている。遊技盤５の下方位置にはカバープレート１３が配設されている。カバープレート１３は遊技機本体４に対して固着されている。カバープレート１３には前方に突出形成した下受け皿１４が形成されている。カバープレート１３は従来の機種における下部カバープレートに相当する。単にカバープレート１３としたのは本実施の形態では上受け皿８の扉枠７側への移動に伴って本来上受け皿８が配設される上部カバープレートが不要となっているからである。下受け皿１４の右側方には操作ハンドル１５が取付けられている。
【００１０】
まず、遊技機本体４及び遊技盤５について詳しく説明する。
図１、図７及び図８に示すように、遊技機本体４の上半身には横架フレーム１８及び左右の縦フレーム１９によって額縁状に縁取られた遊技盤取り付けスペース９が形成されている。遊技盤取り付けスペース９の下方は図１０に示すようにパチンコ球処理領域２１とされ、同パチンコ球処理領域２１の下方には更にパチンコ球発射機構２３及び音響機構２４が配設されている。遊技盤５はパチンコ球処理領域２１の設置台としての天板２２上に設置された状態で遊技盤取り付けスペース９に嵌合されている。
図６に示すように、遊技盤５は略正方形のパネル体であって、遊技盤５の前面のほぼ垂直に配置された遊技面２０上にはレールユニット１２５が配設されている。
【００１１】
レールユニット１２５はプラスチックからなる一体成型品であって図６及び図２５に示すように、誘導レールとしての内レール２５及び外レール２６を備えている。図６において外レール２６は左下方寄りを基端として時計回りに約２１０度、つまり半円より若干長い程度の円弧として延出されている。外レール２６の先端位置には飛来してきたパチンコ球が当接するゴムダンパー１２６が配設されている。ゴムダンパー１２６を基端として内レール２５が配設されている。内レール２５は外レール２６の先端位置より若干内側に寄った位置から延出され時計回りに約２７０度、つまり全円の約３／４程度の円弧として延出されている。内レール２５の円弧は外レール２６の円弧に比較して若干小径（曲率が大きい）とされている。両レール２５，２６は外レール２６の基端から約９０度程度の円弧部分において重複し、この重複位置においてパチンコ球発射機構２３から発射されたパチンコ球の通過する通路１２７を形成している。内レール２５の先端にはパチンコ球の通路１２７側への逆流を防止する逆流防止板１２８が装着されている。内レール２５の最下部位置には後述するアウト球回収口３０の前面に配置されてアウト球が通過するゲート１２９が一体成形によって形成されている。同ゲート１２９に面した内レール２５の最下端には他の部分に対して一段窪んだ球寄せ部１３０が形成されている。図５、図１２及び図３４に示すように、球寄せ部１３０には内レール２５の最下端部分の補強のための複数のリブ１３９が立設されている。図２６に示すようにリブ１３９は上方がアウト球回収口３０側に下がった傾斜が形成された変形四角形の外形形状をなしている。落下してきたパチンコ球（アウト球）は球寄せ部１３０に集合し、このリブ１３９上部を転動してアウト球回収口３０に向かう。
【００１２】
図６及び図２５に示すように、外レール２６の内周面、すなわち発射されたパチンコ球の滑走面には金属製の補強レール１３１が装着されている。補強レール１３１はその先端がゴムダンパー１２６上部のスリット（図示せず）に挿入されており、その屈曲基部１３１ａが外レール２６基部の固定手段としての略三角形状の固定体１３２に被せられている。そして、同固定体１３２と固定手段としての固定体１３２下方の係合爪１３３によって挟持されている。すなわち補強レール１３１は先端と基端において外レール２６に対して支持されている。
【００１３】
外レール２６の全周及び内レール２５にあっては通路１２７部分を除く全周にフランジ１３５が形成されている。通路１２７部分においては両レール２５，２６を連結する背面壁１３６が形成されている。レールユニット１２５は同フランジ１３５の所定箇所に形成された取り付け穴１３７においてビス１３８によって遊技面２０上に固定されている。レールユニット１２５が遊技面２０に固定された状態で図２６に示すようにレールユニット１２５の最下端（球寄せ部１３０の底部）は天板２２に対して若干隙間が空いた状態で配置される。本実施の形態ではフランジ１３５及び背面壁１３６は透明プラスチックよりなり、遊技面２０に施された模様や彩色からなる装飾がこれらフランジ１３５及び背面壁１３６を通して目視可能とされている。
また図２７に示すようにフランジ１３５及び背面壁１３６は遊技面２０に対してその厚み分だけ前方に張り出すこととなる。
【００１４】
遊技面２０において内レール２５及び外レール２６によって包囲された領域が遊技領域２７とされている。遊技領域２７内には入賞口２８及び可変表示装置２９等が所定位置に配設されている。内レール２５の最下部位置にはアウト球回収口３０が形成されている。遊技が終了して入賞口２８に入賞しなかったパチンコ球（遊技球）はアウト球としてアウト球回収口３０から後方に退場する。尚、釘については図示が省略されている。
図７及び図８に示すように、遊技盤取り付けスペース９前面には前記遊技領域２７に応じた形状に縁取られた幕板３１が形成されている。幕板３１は天板２２上に載置された遊技盤５を保持するとともに前方への脱落を防止する機能を有する。
図３及び図５に示すように遊技領域２７は出願人の従来の機種（上受け皿が遊技機本体側に配設されているもの）と比較して大径とされるとともに、可変表示装置２９の表示画面２９ａも大型化して遊技領域２７内においてかなり大きな面積を占めている。これは上受け皿を遊技盤の下方位置に移動させることで上受け皿に関する機構を分散でき、その結果遊技盤を上下方向により長く構成することができるようになったことが主たる理由である。
【００１５】
図１１に示すように、遊技盤５の裏面であって可変表示装置２９の下方位置には３箇所にセーフ球集合樋３２が配設されている。セーフ球集合樋３２の下方にはセーフ球集合板３４が配設されている。セーフ球集合樋３２は入賞したパチンコ球（セーフ球）が遊技領域２７から退場後に通過する背面側の通路であって、セーフ球集合樋３２に導かれたセーフ球はセーフ球集合板３４の内部（遊技盤５との間でなす隙間）を通過して下方に落下する。
図９〜図１１に示すように、セーフ球集合樋３２及びセーフ球集合板３４の背面にはメイン基板３３が配設されている。メイン基板３３には遊技内容に応じたプログラムやこれを起動させるためのプログラム等が個々の機種に応じて封印されて配設されている。
【００１６】
次に遊技盤５のパチンコ球処理領域２１の周辺の構造について説明する。
パチンコ球処理領域２１には後述する払い出し機構４０から供給されるパチンコ球を前面（遊技者側）に導く導入通路４５とパチンコ球を外部に導く排出通路４６とが配設されている。まず導入通路４５について説明する。
導入通路４５は上受け皿８にパチンコ球を導く主通路４７と上受け皿８が一杯になった場合に下受け皿１４方向にオーバーフローしたパチンコ球を導くバイパス通路４９とを備えている。図９〜図１１に示すように主通路４７は遊技機本体４の裏面側に導入口５０を備え、図１、図５等に示すように遊技機本体４の表面側の導出口５１に連通されている。図１３、図１４及び図１６に示すように、主通路４７内には導入口５０から導入したパチンコ球を前方に流下させる流下面４７ａが形成されている。流下面４７ａには前方に向かって緩やかな傾斜が設けられている。流下面４７ａはその途中で途切れており、導出口５１は空間を隔てた流下面４７ａ前方に配置される。
【００１７】
図９〜図１１並びに図１５及び図１６に示すようにバイパス通路４９は遊技機本体４の裏面側に導入口５２を備え遊技機本体４前面に配設されたオーバーフロー通路としての下受け皿用通路５３内に連通されている。バイパス通路４９内には導入口５２から導入したパチンコ球が前方に流下する流下面４９ａが形成されている。流下面４９ａには前方に向かって緩やかな傾斜が設けられている。
図１、図５、図９〜図１１及び図１６に示すように下受け皿用通路５３は遊技機本体４前面左側から右方向に横行して前記下受け皿１４の流入口１４ａに連通されている。下受け皿用通路５３はパチンコ球処理領域２１の前面左方向においてバイパス通路４９の流下面４９ａから流下するパチンコ球を下方に落下させる第１の通路５３ａと落下するパチンコ球をスムーズに略９０度右方に方向転換させる曲面に形成された案内部５３ｂとパチンコ球を斜め右下方に案内する第２の通路５３ｃから構成される。第２の通路５３ｃは遊技機本体４の左右方向の略中央位置において下受け皿１４の流入口１４ａに接続されている。図１６に示すように、第２の通路５３ｃの起点位置の上方は開放空間５４とされて前記主通路４７の流下面４７ａの下端部が現れている。
【００１８】
図１、図５、図１３及び図１４に示すように、導出口５１にはフラップ５５が立設されている。フラップ５５は回動軸５５ａによって回動可能に軸支されるとともに図示しないバネによって付勢されている。図１４に示すように、扉枠７を閉鎖させることで後述する差し込み受け皿５７が導出口５１から開放空間５４に差し込まれることとなる。差し込み受け皿５７の流下面５７ａは開放空間５４に差し込まれた状態で主通路４７の流下面４７ａよりも若干低い位置に配設され、同流下面４７ａを流下するパチンコ球をさらにすみやかに下流に流下させるために前方に向かって緩やかな傾斜が設けられている。
差し込み受け皿５７の差し込みに伴ってフラップ５５は開放空間５４側に倒伏させられるとともに、開放空間５４によって途切れた流下面４９ａの下流位置に導出口５１方向への橋が架けられることとなる。この状態で主通路４７の流下面４７ａを流下してきたパチンコ球は差し込み受け皿５７上に流入し、更に導出口５１から上受け皿８に導かれることとなる。
一方、扉枠７を開放した際には図１３に示すようにフラップ５５はバネの付勢力によって起立位置に復帰する。この状態ではパチンコ球は導出口５１には導かれない。すなわち、扉枠７と一体的に開放されてしまった上受け皿８にパチンコ球を導くことはできないため上流から流下するパチンコ球を下受け皿１４に導く必要がある。すなわち、差し込み受け皿５７がなくなるためパチンコ球は開放空間５４から下方の第２の通路５３ｃ方向に落下し下受け皿１４に流入することとなる。このとき、勢いよく流下面４９ａを流下してきたパチンコ球はフラップ５５によって導出口５１からの外部への飛び出しが防止される。
図１６に示すように、開放空間５４と隣接する第１の通路５３ａとはその途中に隔壁がなく連通状態とされている。そのため、主通路４７に導かれるパチンコ球が多すぎて流下できなくなった場合にはそのオーバーフローしたパチンコ球は主通路４７から差し込み受け皿５７に至る途中で開放空間５４から第１の通路５３ａの方向に移動して下受け皿用通路５３に導かれる（つまり下受け皿１４に流入する）ようになっている。つまり、バイパス通路４９を通らないで主通路４７に導かれたパチンコ球が遊技機本体４前面に至った段階でオーバーフロー状態となると、下受け皿１４方向に迂回することとなっている。
【００１９】
ここに、従来のパチンコ遊技機におけるオーバーフロー機構は次の通りである。図３５〜図３７に示すように、パチンコ遊技機の機構盤１４５では払い出し機構１５３を下降してきたパチンコ球は基本的に主連通路１４６からパチンコ機本体１４７の中間通路１４８を通り、更に中間通路１４８に面して配置される連絡通路１４９を通って上受け皿１５０に至るような構造とされている。この主連通路１４６〜上受け皿１５０の間がパチンコ球で一杯になってしまう（これを上受け皿のオーバーフローという）と払い出し機構を下降してきたパチンコ球は副連通路１５１方向に流れるようになっている。そして副連通路１５１からオーバーフロー通路１５２を流下してパチンコ球は図示しない下受け皿に至るような構造とされている。そして、この従来のパチンコ遊技機においては扉枠を開放した際に上受け皿への通路が遮断されるためパチンコ球がこぼれないように下受け皿へパチンコ球を導く通路１５４が遊技機本体に形成されていた（通路１５４は本実施の形態の下受け皿用通路５３のように周囲が完全に覆われた通路ではなく上方が開放されたレール状部材に過ぎない）。この通路１５２はオーバフローしたパチンコ球を下受け皿に導く機能は全くなく、あくまで上受け皿１５０の開放によって本来上受け皿１５０方向へ流下すべきパチンコ球の逃げ道として下受け皿に導く機能を有するに過ぎない。
この点で、本実施の形態の下受け皿用通路５３はオーバフローしたパチンコ球を下受け皿に導く機能と扉枠開放に伴う上受け皿への通路遮断によりパチンコ球を下受け皿に導く機能の両方の機能を兼ね備えていることとなる。
尚、差し込み受け皿５７は扉枠７の閉塞時に開放空間５４からパチンコ球が下受け皿１４方向に流れてしまわないように設けられているものであって、この機構によって下受け皿用通路５３が両方の機能を兼ね備えることが可能となっている。
図１、図５及び図１２に示すように、下受け皿用通路５３の第２の通路５３ｃ下方にはセンサ収納部６６が併設されている。センサ収納部６６内には図示しないリミットスイッチが配設されており、下受け皿１４がパチンコ球で一杯になり第２の通路５３ｃ側に溢れた際にこれを検出して後述する払い出し装置９６からの賞球（パチンコ）の放出を休止させる。センサ収納部６６の右方には後述する迂回通路８９（図１参照）と接続され上受け皿８からのパチンコ球を下受け皿１４に回避させるための連絡通路１０４が形成されている。
【００２０】
次に排出通路４６について説明する。図９〜図１１に示すように、排出通路４６はアウト球回収口３０から落下してくるアウト球及びセーフ球集合板３４から落下してくるセーフ球を受け止めて下流（図１１では右方）に流下させる第１の傾斜面５８と、第１の傾斜面５８を流下するアウト球及びセーフ球を受け止めて流下方向を逆転させて（図１１では左方）中央寄りにアウト球及びセーフ球を導く第２の傾斜面５９とを備えている。第２の傾斜面５９の下端には図示しない外部レールと連通する排出口６０が形成されている。
ところで、従来のパチンコ遊技機では機構盤の下部に大型のセーフ球処理装置が配設されていた。そして、セーフ球は機構盤に形成された誘導通路を介して一旦すべてセーフ球処理装置に送られて保留され、セーフ球の機械的なカウントによって払い出し装置を駆動させるようになっていた。主としてこのセーフ球処理装置を配置するスペース的な余裕のなさから従来では払い出し装置から払い出されるパチンコ球（賞球）の払い出し位置（後述する分岐機構６１に相当する）は上方に配置せざるを得ず、一部遊技盤を切り欠いて通路を設けるような構成とされていた。
従って、セーフ球はこのセーフ球処理装置方向に送る必要があることからこのような排出通路４６は従来の機種には設けられていなかった。また、スペース的にも配置する余裕はなかった。
【００２１】
これに対して、本実施の形態ではセーフ球処理装置を廃し、排出通路４６が設けられている。これは機械的に払い出し装置を駆動させるのではなく、上記基板取り付けベース１１に配設される払い出し基板（図示せず）による電気的な制御によって払い出し装置９６を駆動させるようにしたものである。より具体的には払い出し装置９６は次のように作動させられる。まず、入賞口には図示しない検出手段（センサ）が併設され入賞があった旨はこの検出手段で検出される。そのため以後はセーフ球は不要であり上記のようにセーフ球集合板３４に落下させてアウト球と同様に排出処理しても構わなくなる。検出信号によって入賞数がカウントされ払い出し基板の制御装置はこのカウント数に基づいて後述する払い出し装置９６を駆動させることとなる。従って、セーフ球処理装置が不要であるため機構盤１０の下部のスペースに余裕ができ排出通路４６を設けることが可能とな
りアウト球とともにセーフ球も排出可能となった。
この結果セーフ球処理装置によるスペースの余裕のなさが解消されることとなって払い出し位置の限定も解除されることとなる。すなわち、わざわざ遊技盤５の一部を切り欠いて通路を設けるような遊技盤５の設計に影響を与えるような構造にする必要がなくなり、遊技盤５の下部位置に分岐機構６１を配置することが可能となっている。
また、セーフ球処理装置とともにセーフ球を誘導する誘導通路も不要となるため機構盤１０との機構的な関連は完全に解消されることとなる。更に、セーフ球処理装置が不要であるため分岐機構６１は機構的に簡単な構造となっている。これらの理由から敢えて機構盤側に設けずとも本実施の形態のように基板取り付けベース１１を介して遊技機本体４側に設けることが可能となっている。分岐機構６１の詳しい構造については後述する。
【００２２】
次に、パチンコ球発射機構２３について説明する。図１、図９〜図１２に示すように、遊技機本体４の右下方寄り（裏面から見ると左下方寄り）にはパチンコ球発射機構２３が配設されている。パチンコ球発射機構２３は前記操作ハンドル１５、発射ハンマ６３、モータ装置６４、図示しない発射カム，図示しないコイルバネ等から構成されている。
モータ装置６４は遊技者が操作ハンドル１５のハンドルリング１５ａに触れていることを条件に所定タイミング（本実施の形態では一分間に１００回の割合）で回転する。モータ装置６４の回転軸には発射カムが固着され、発射カムが回転することによりコイルバネの付勢力に抗して 発射ハンマ６３を回動させる。発射ハンマ６３は回転した発射カムと非係合となることによってコイルバネの付勢力によって一瞬に元の位置に戻ることとなる。この時の勢いによって遊技球が発射される。操作ハンドル１５のハンドルリング１５ａを回動させることでコイルバネの付勢力を制御し、発射ハンマ６３のパチンコ球（遊技球）への当接速度を調節するようになっている。
【００２３】
図１及び図１２に示すように、前記下受け皿用通路５３の右方には発射案内レール６５が配設されている。発射案内レール６５の下端（右端）は前記発射ハンマ６３の側方に配置され、発射ハンマ６３の進退方向と重複して左斜め上方に向かって延出されている。発射案内レール６５上端から先は発射されたパチンコ球（遊技球）がジャンプして飛び越えるジャンプ領域６７が形成されている。ジャンプ領域６７の下方には前記下受け皿用通路５３の第２の通路５３ｃを構成する天板６８が配置されている。天板６８上面は右下方に向かって下がる傾斜面とされているため、発射されても遊技面２０に至らず戻ってきてしまった勢いのないパチンコ球がジャンプ領域６７から天板６８上に落下し、そのパチンコ球は天板６８上を右方向に流下して発射案内レール６５の下方から返却通路６９内に導入されるようになっている。返却通路６９は本実施の形態では前記下受け皿用通路５３上部の開放空間５４に連通されている。発射案内レール６５の取り付けリブ６５ａには発射案内レール６５上にセットされた遊技球を下方から支持するストッパ７９が固着されている。
【００２４】
ここに図５に示すように、前方から発射案内レール６５を正視した場合発射案内レール４５の下端寄りはカバープレート１３の上端よりも下方位置に配置される。つまり、前方からでは正視できない隠れた位置に配置されることとなっている。これは遊技盤５の上下幅が上記のように拡張され従来の機種に比べて下方位置まで進出するようになったことに伴い発射案内レール６５を全体に下方位置にずらしたことによるものである。本来ならば発射案内レール６５が下がると操作ハンドル１５位置も下げることでこのように発射案内レール６５の下部が隠れた状態になることはない。しかし、パチンコ遊技機において操作ハンドル１５の位置は遊技者が操作しやすい位置に配置されるよう人間工学的に決まってしまっている。そのため、操作ハンドル１５位置を下げることはできない。しかし、遊技
球の発射後の助走距離として所定長さの発射案内レール６５は必要である。そこで、このように構成したものである。
ここに、発射案内レール６５の最下端位置（発射準備位置）には次々と打ち出される遊技球が流入してくるため遊技球が確実に保持される必要がある。従来の機種では発射案内レール６５はその前面に配置される上部カバープレートに隣接していたため上部カバープレートからの遊技球の排出口をちょうど発射準備位置に面するような設計が可能であった。ところが、本実施の形態のようなカバープレート１３の上端から下方に隠れてしまっている発射準備位置ではこのような設計は困難である。すなわち、発射準備位置にセットされた遊技球（発射待機球）を前方から支持する手段がなくなってしまうこととなる。そこで、本実施の形態では図１２及び図１７に示すように発射案内レール６５の最下端位置に隣接して遊技球案内プレート７０が配設されている。
遊技球案内プレート７０は扉枠７側の上受け皿８から発射案内レール６５上に供給された遊技球を前方から支持する。すなわち、図１２及び図１７に示すように、発射準備位置に隣接した位置（前方位置）における同プレート７０の配置位置はその位置における発射案内レール６５よりも若干高い位置に配設される。これによって、発射案内レール６５の発射準備位置に配置される遊技球は同プレート７０よりも一段下がった位置において遊技球案内プレート７０によって前方から保持されることとなり正確な発射が可能となる。
カバープレート１３の下受け皿１４の左方には灰皿７２が配設されている。本実施の形態ではこの灰皿７２の裏面に前記音響機構２４の図示しないスピーカが配設されている。図１、図５及び図１２に示すように、発射案内レール６５の右方には鍵穴７３が形成されている。この鍵穴７３は遊技機本体４に対する扉枠７の開閉をつかさどるものである。
【００２５】
次に、扉枠７について詳述する。
図１〜図４に示すように、遊技盤５の前面には扉枠７が配設されている。扉枠７はヒンジ金具６の回動軸６ａを中心に回動し（つまり遊技機本体４の回動軸と同軸で）遊技機本体４に対して開閉可能にかつ着脱可能に装着されている。扉枠７は略長方形の外形を有し、中央にほぼ円形の大型の窓穴７５が形成されている。窓穴７５を円形としたのは遊技盤５の遊技面９の前記遊技領域２７に対応させたものである。窓穴７５には遊技盤５の遊技面９を露出させるためのガラスＧがはめ込まれている。扉枠７の後面側であって窓穴７５周縁には補強フレーム７４が配設されている。扉枠７の前面側であって窓穴７５の周縁には装飾用の装飾パネル７６が所定位置に配設されている。各装飾パネル７６内には図示しないランプが配設されメイン基板３３による制御に基づいて点滅させられる。
窓穴７５の下方位置には球貸し用の操作ボタン７７とカードの残量を表示する７セグ表示の表示パネル７８が配設されている。
【００２６】
操作ボタン７７及び表示パネル７８の下方には上受け皿８が配設されている。図１８及び図１９に示すように、上受け皿８は導入されてきたパチンコ球がプールされる流下面８１と流下面８１を包囲する包囲壁８２を備えている。流下面８１には図示しないパチンコ球貸し出し装置の配球ノズルから放出されたパチンコ球が落下当接する。流下面８１は右側下がりの傾斜に形成されるとともに、下流側（右側）が徐々に狭くなってパチンコ球が縦列配置されるような狭窄通路８４が形成されている。
上受け皿８には上流側（左側）の扉枠７壁面に形成されたパチンコ球導入口８３から導入されたパチンコ球がプールされると同時に徐々に下流側に流下して狭窄通路８４に至り、更に狭窄通路８４最下流に配置された供給口８５から扉枠７の背面側に導かれる。図１に示すように、供給口８５の扉枠７の対応する背面位置には前記遊技球案内プレート７０に遊技球を導く遊技球案内通路８７が配設されている。遊技球案内装置８７は上受け皿８の供給口８５から流下するパチンコ球を前記発射案内レール６５上に落下させる装置である。遊技球案内装置８７の側方には上受け皿８に溜まったパチンコ球を遊技者の操作で自主的に下受け皿１４に回避させる際の迂回通路８９が形成されている。
図１及び図１４に示すように、パチンコ球導入口８３の扉枠７の対応する背面位置には前記差し込み受け皿５７が後方に向かって突設形成されている。差し込み受け皿５７は扉枠７が遊技機本体４前面に装着された状態で前記導出口５１から開放空間５４に差し込まれパチンコ球処理領域２１から供給されたパチンコ球をパチンコ球導入口８３から上受け皿８に導く。前記操作ボタン７７及び表示パネル７８の裏面側には球貸し用基板が内蔵された球貸し用基板ボックス８８が配設されている。
【００２７】
図１８及び図１９に示すように、上受け皿８の流下面８１を包囲する包囲壁８２はパチンコ球導入口８３の周囲が他の部分よりも高く形成された高壁部８２ａとされている。高壁部８２ａの上端はパチンコ球導入口８３の上端位置よりも高い位置とされており、正面から正視した状態でパチンコ球導入口８３は包囲壁８２及び高壁部８２ａによって完全に覆われている。高壁部８２ａ（及び扉枠７の壁面）で包囲された流下面８１の左方位置（パチンコ球導入口８３の前方）はパチンコ球貸し出し装置の配球ノズルからパチンコ球が落下当接する位置である。従って、遊技盤５のサイズが大きくなって従来の機種に比べて上受け皿８が下方に配置されることとなり配球ノズルから流下面８１までの距離が長くなったとしても、高壁部８２ａによって配球ノズルから放出されたパチンコ球が飛び出すことがない。
ここに、従来の機種では上受け皿は扉枠とは別体に上部カバープレートに配設されていた。上部カバープレートは扉枠の下方位置に配設される部材である。そのため、扉枠を開放した際に上部カバープレートに設けられた上受け皿の壁の高さは扉枠の開放の邪魔とならないように（干渉しないように）高さに制限を設けざるを得なかった。そのためパチンコ球貸し出し装置の配球ノズルから上受け皿までの距離が長いと上受け皿に落下したパチンコ球が壁を乗り越えて外に飛び出してしまう可能性があった。従って、配球ノズルの位置はできる限り低くなるように設定されていた。また、壁が余り高くなりすぎないように配慮しながら上部カバープレートをデザインしなければならずデザイン上の制限があった。ところが、本実施の形態では上受け皿８は扉枠７側にあって扉枠７と一体となって開放されるため、高壁部８２ａの高さには制限はない（実際には遊技盤５の遊技面２０にかからない程度にする必要がある）。
【００２８】
次に、機構盤１０について説明する。
図２、図４及び図９に示すように、遊技盤５の背面側には機構盤１０が遊技機本体４に対して開閉可能に装着されている。機構盤１０は上下に配設されたヒンジ部９０（本実施の形態では下側のみ表示）によって遊技機本体４に支持されており、盤面に散点的に配置された開閉ピン９１の引き出し及び押し込みによって遊技機本体４に対して着脱可能とされる。機構盤１０の中央付近には大型開口部１０ａが形成されている。大型開口部１０ａの上半分はカバー９２によって背面から覆われている。
図９に示すように、遊技機本体４に対して機構盤１０が閉塞された状態で同大型開口部１０ａから遊技盤５の背面に配設された可変表示装置２９及びメイン基板３３が露出される。可変表示装置２９はカバー９２によって背面から覆われるが、メイン基板３３は目視確認のために覆われない。
機構盤１０の上部にはタンクＴが配設されている。タンクＴの下方にはタンクレール９３が配設されている。タンクレール９３はタンクＴから導入されたパチンコ球を図９において左方から右方に移動させる。本実施の形態では従来の機種に比べて遊技盤５が上方にも拡張されているためタンクＴは従来の機種に比べて若干浅めに形成されている。タンクレール９３の右方には下方に向かって払い出し機構としての払い出しユニット９５が配設されている。払い出しユニット９５は払い出し装置９６と、パチンコ球を払い出し装置９６に導く第１の流路９７と、パチンコ機の廃棄等によってパチンコ機を島から取り外す際に同第１の流路９７内の球抜きを行うための球抜き機構９８と、球抜きを行う際にパチンコ球が排出される球抜き流路９９と、払い出し装置９６の下流の第２の流路１００と、ベル１０１と、ベル１０１の下流の第３の流路１０３とより構成されている。
本実施の形態では２基の払い出し装置９６はセーフ球の発生に基づいて所定量のパチンコ球（賞球）を払い出す。パチンコ球は第２の流路１００を流下し途中ベル１０１に当接する。ベル１０１に当接したパチンコ球は第３の流路１０３を斜め下方（図９において左斜め下方）に導かれる。第３の流路１０３を流下したパチンコ球は基板取り付けベース１１内に至る。機構盤１０の背面を流下してきたパチンコ球はこの基板取り付けベース１１において前方に方向転換させられる。
【００２９】
図２、図４及び図９に示すように、機構盤１０の下方には基板取り付けベース１１が配設されている。基板取り付けベース１１は上下に配設されたヒンジ部１０５によって遊技機本体４に開閉可能に支持されており、図９において左方に配置された開閉ピン１０７の引き出し及び押し込みによって遊技機本体４に対して着脱可能とされている。図９、図２０及び図２１に示すように、基板取り付けベース１１には発射基板が収納される発射基板ボックス１１ａと、電源基板が収納される電源基板ボックス１１ｂが固着されている。図２１に示すように、払い出し基板が収納される払い出し基板ボックス１１ｃは着脱可能とされている。これは、不正防止の点から払い出し基板ボックス１１ｃのみを別途ユーザに供給する必要のためである。
【００３０】
図９、図２０〜図２４に示すように、基板取り付けベース１１の払い出し基板ボックス１１ｃの装着位置前面側には分岐機構としての分岐ユニット６１が着脱可能に配設されている。分岐ユニット６１は払い出し装置９６から流下するパチンコ球を遊技機本体４方向に導く際に上受け皿８方向と下受け皿１４と方向とのいずれかに分岐させる最初の分岐機構である。図２４に示すように、分岐ユニット６１は中空の全体として略方形の箱体として構成されており、内部に空間を仕切る第１の遮蔽板６２が配設されている。分岐ユニット６１は基板取り付けベース１１に対して固定片１０６を介してビス１０８によって固着されている。分岐ユニット６１は水平位置において図９に示すように遊技盤５が載置されている天板２２位置よりも下方に配置されている。すなわち、分岐ユニット６１は遊技盤
５最下端位置よりも下方位置に配設されることとなり、基板取り付けベース１１を介して遊技機本体４側に装着されることとなる。
分岐ユニット６１内は３つの通路に仕切られている。図２３において右方から順に主通路用中間通路１０９、バイパス通路用中間通路１１０及び球抜き流路用通路１１１とされている。各通路１０９，１１０，１１１は水平に並んで配置されている。主通路用中間通路１０９及びバイパス通路用中間通路１１０は第１の遮蔽板６２によって区画され、バイパス通路用中間通路１１０と球抜き流路用通路１１１とは第２の遮蔽板７１によって区画されている。
図２２及び図２４に示すように、第１の遮蔽板６２は略直角三角形の外観とされ、第１の遮蔽板６２はビス１１２によって着脱可能に固定されている。第１の遮蔽板６２は三角形の斜辺部分が若干湾曲した湾曲傾斜面６２ａとされており、この湾曲傾斜面６２ａが主通路用中間通路１０９側を向くように配設されている。分岐ユニット６１の背面壁６１ａはこの第１の遮蔽板６２の着脱のためにビス１１３にて着脱可能とされている。
主通路用中間通路１０９の上方には第１の入球口１１４が開口されており、前面には第１の出球口１１５が開口されている。バイパス通路用中間通路１１０の上方には第２の入球口１１６が開口されており、前面には第２の出球口１１７が開口されている。球抜き流路用通路１１１の上方には第３の入球口１１８が開口されており、前面には第３の出球口１１９が開口されている。図２２に示すように、第１の入球口１１４は前記第３の流路１０３の斜め下方位置（すなわち流下するパチンコ球の流下方向の下流位置）に開口されており、第１の出球口１１５は主通路４７に接続されている。第２の入球口１１６は第３の流路１０３の主流下位置から外れた側方位置に開口されており、第２の出球口１１７はバイパス通路４９に接続さている。第３の入球口１１８は球抜き流路９９の下端出口と接続されており、パチンコ球は第３の出球口１１９から前記排出通路４６の第２の傾斜面５９上に落下することとなっている。
【００３１】
ここに、基板取り付けベース１１は機構盤１０とは別体に構成されている。従来の機種では発射基板、電源基板及び払い出し基板は機構盤に配設されており、かつ必ずしもこのようにまとまってチェックしやすい下方位置に配置されているわけではない。本実施の形態でこのように基板取り付けベース１１を機構盤１０と別体に構成するようになった理由は主として１）従来の機構盤が大型化、重量化してきたこと、２）別体とすることでパチンコ遊技機の組み立て作業が迅速化すること、３）逆に再利用する際の取り外しの容易さ等の理由からである。
更に、本実施の形態ではパチンコ遊技機としてゲーム内容に関わらず共通性のある基板を基板取り付けベース１１に機構盤１０とは別体としてまとめることで、保守・点検がしやすくなった。また、このように基板取り付けベース１１を設けることができるのは上記のようにセーフ球処理装置を廃したことから遊技機本体４のパチンコ球処理領域２１に排出通路４６を移動させることができることになって機構盤１０位置のスペースに余裕ができたことによるものでもある。図９〜図１１に示すように、機構盤１０の上下幅は遊技盤５の上下幅とほぼ同等に構成されているため、機構盤１０を開放することによって基板取り付けベース１１は開放あるいは取り外しをしなくとも遊技盤５の保守・点検更に交換等の作業を行うことができる。
また、発射基板ボックス１１ａ、電源基板ボックス１１ｂ及び払い出し基板ボックス１１ｃを排出通路４６から隔絶することによってパチンコ球同士が接触する際に発生する静電気由来のノイズ（電気的信号）の影響を受け難くすることも基板取り付けベース１１を別体で構成する理由である。
【００３２】
次に、このように構成された本実施の形態のパチンコ遊技機の特にレールユニット１２５の作用について説明する。
内レール２５及び外レール２６の遊技面２０上への配設はレールユニット１２５をビス１３８によって固定することで実行される。そして、上記のように遊技面２０は従来に比べて拡大されているため、このレールユニット１２５装着の際にフランジ１３５が遊技面２０上に配設されることになるものの遊技領域２７が狭くなることはない。レールユニット１２５の最下端位置、すなわち球寄せ部１３０の底部は天板２２に対して若干の隙間を有して配設されているため、内レール２５及び外レール２６に当接するパチンコ球の衝撃が天板２２を介してパチンコ球処理領域２１側に伝達されてしまうことがない。一方で保守・点検等の作業時においてレールユニット１２５の一部に万一多大な荷重がかかった場合でも球寄せ部１３０がたわんで天板２２に当接して荷重を支えることが可能となる。
【００３３】
このように構成することで本実施の形態では次のような効果を奏する。
（１）レールユニット１２５はプラスチック製とされ従来の金属製の誘導レールと異なりリサイクル可能であるため廃棄処分する必要がない。
（２）レールユニット１２５をビス１３８によって固定するだけで、内レール２５及び外レール２６の遊技面２０上への装着が完了するため両レール２５，２６を別々に取り付ける必要がない。また、従来の金属製の誘導レールのように装着のためのプレス装置が不要となるとともに、取り外しも容易になるので再生利用する際の分別作業が楽になる。特に金属製の誘導レールでは遊技盤にしっかりと食い込んでいるため、場合によってはリサイクル可能であっても遊技盤自体を廃棄処分とするようなケースもあったがそのようなことが全くなくなる。
（３）レールユニット１２５装着の際にフランジ１３５が遊技面２０上に配設されることになる。しかし遊技面２０が従来に比べて拡大されているため、遊技領域２７が狭くなることはない。
（４）レールユニット１２５の最下端位置である球寄せ部１３０の底部は天板２２に対して若干の隙間を有して配設されているため、内レール２５及び外レール２６に当接するパチンコ球の衝撃が天板２２を介してパチンコ球処理領域２１側に伝達されてしまうことがない。
（５）保守・点検等の作業時においてレールユニット１２５の一部に万一多大な荷重がかかった場合でもレールユニット１２５の最下端位置である球寄せ部１３０の底部は天板２２に対して近接した位置にあるため、球寄せ部１３０がたわんで天板２２に当接して荷重を支えることが可能となり、下方に脱落してしまうことがない。
（６）レールユニット１２５の最下端位置である球寄せ部１３０が天板２２に当接する際に肉が薄いと強度が持たない場合もあるが、上記実施の形態ではゲート１２９と球寄せ部１３０が形成されており、これらが補強構造としての役割を果たすようになっている。更に球寄せ部１３０に形成されたリブ１３９によって最もパチンコ球が集中して負荷の大きな球寄せ部１３０自体の強度が向上することとなる。
（７）補強レール１３１によってパチンコ球が滑走して最も摩耗しやすい部分が保護されることとなり、レールユニット１２５が長持ちする。また、補強レール１３１は容易に着脱できるため補強レール１３１のリサイクルの際に取り外すのも容易である。
（８）内レール２５及び外レール２６をレールユニット１２５としてユニット化するとともに、フランジ１３５や背面壁１３６によって遊技面２０に接触面積を多くして取り付けているため、金属製の誘導レールと比較して遜色ない強度で遊技面２０に取り付けることが可能となっている。
【００３４】
尚、この発明は、次のように変更して具体化することも可能である。
・図２８に示すように内レール２５の最下端位置、すなわち上記実施の形態では球寄せ部１３０を天板２２に常時当接させるような構成としても構わない。当接させるほうが上記実施の形態のように若干の隙間を形成する場合に比べて荷重に対する支持力が大きい。
・図２９に示すように上部からの埃が付着しやすく、かつ遊技者の目に留まりやすい内レール２５の最下端位置、すなわち上記実施の形態では球寄せ部１３０の前方にカバー１４０を配置するようにしてもよい。このカバー１４０は着脱可能である。カバー１４０は図示のように天板２２から上方に延出するようにしても、球寄せ部１３０の前方に着脱可能に直接装着するようにしてもよい。
・図２７に示すように上記実施の形態ではフランジ１３５及び背面壁１３６は遊技面２０に対してその厚み分だけ前方に張り出させていたが、図３０に示すようにレールユニット１２５のフランジ１３５や背面壁１３６を遊技面２０と面一となるように遊技面２０にレールユニット１２５がはまりこむための凹部１４１を形成するようにしてもよい。このようにすれば、パチンコ遊技機の前後の厚みを薄くすることが可能となる。また、遊技面２０もすっきりして遊技者にとっても好ましい。
・図３１に示すように、内レール２５の最下端位置、すなわち上記実施の形態では球寄せ部１３０と天板２２との間に緩衝部材（弾性部材）としてのコイルスプリング１４２を配設してもよい。このようにすれば内レール２５及び外レール２６に当接するパチンコ球の衝撃がコイルスプリング１４２によって緩和されるとともにレールユニット１２５の一部に万一多大な荷重がかかった場合には荷重はコイルスプリング１４２を間に介して天板２２に伝達されレールユニット１２５を支えることが可能となる。コイルスプリング１４２以外の板スプリングや発泡樹脂等を使用することも可能である。
・上記実施の形態では内レール２５と外レール２６を一体成形してユニット化したがこれらは別体であっても構わない。
・上記実施の形態ではレールユニット１２５のフランジ１３５及び背面壁１３６は透明とされていた。しかし、必ずしも透明である必要はない。透明でない場合には遊技面２０に施された彩色や模様の装飾と対応した装飾が施されることが好ましい。また、このようにレールユニット１２５のフランジ１３５及び背面壁１３６を透明にしたりわざわざ装飾を施したりする理由は図３に示すように扉枠７を閉めた状態で窓穴７５から左右上部寄りにわずかにフランジ１３５や背面壁１３６が遊技者から目視可能に露出するからである。さもなければ、遊技面２０に施された装飾がフランジ１３５や背面壁１３６に覆われて装飾が途切れてしまい見苦しくなってしまうからである。特に図３ではパチンコ球が飛び出してくる通路１２７に遊技者は注目しがちである。そのため、図３２に示すように窓穴７
５に露出する部分の通路１２７における背面壁１３６を途中でカットし窓穴７５から露出しないように構成してもよい。
・上記実施の形態では内レールの最下端として球寄せ部１３０の底部としていた。このように球寄せ部１３０を形成したのはアウト球をアウト球回収口３０方向に導き易くするためであって、あえて球寄せ部１３０を設けなくともよい。
・上記ゲート１２９や球寄せ部１３０の補強構造は他の形状であっても構わない。
・図３３に示すように、内レールの最下端として球寄せ部１３０に別体で構成した補強部材を兼ねたアウト球誘導部材１４４を装着するようにしてもよい。このアウト球誘導部材１４４は本実施の形態では合成ゴム製とされている。アウト球誘導部材１４４は球寄せ部１３０上に配置されるリブ１４４ａが立設されている。リブ１４４ａは上記リブ１３９と同様上方がアウト球回収口３０側に下がった傾斜が形成された変形四角形の外形形状をなしている。落下してきたパチンコ球（アウト球）は球寄せ部１３０に集合し、このリブ１４４ａ上部を転動してアウト球回収口３０に向かう。また、アウト球誘導部材１４４はコ字状の挟持部１４４ｂによって球寄せ部１３０に装着されるとともに自身が球寄せ部１３０と天板２２の間に挟持されることとなる。そのため、この挟持部１４４ｂを緩衝部材として内レール２５及び外レール２６に当接するパチンコ球の衝撃が天板２２を介してパチンコ球処理領域２１側に伝達されてしまうことがない。
・補強レール１３１は必ずしも装着しなくともよい。
・フランジ１３５の形状や固定方法は上記に限定されるものではない。
・本実施の形態はいわゆる現金機以外のＣＲ機にも応用可能である。
・その他、本発明の趣旨を逸脱しない態様で実施することは自由である。
【００３５】
本発明の目的を達成するために上記実施の形態から把握できるその他の技術的思想について下記に付記として説明する。
（１）前記誘導レールはプラスチック製であることを特徴とする請求項１に記載のパチンコ遊技機。これによって、誘導レールのリサイクルが可能となった。
（２）前記誘導レールは外レールと内レールとがユニット化されて一体的に形成されるとともに着脱可能とされていることを特徴とする付記１に記載のパチンコ遊技機。このように構成することで外レールと内レールをそれぞれ別個に装着する手間が省ける。
（３）前記誘導レールの円弧の最下部位置は前記設置台に当接していることを特徴とする請求項１若しくは付記１〜２のいずれかに記載のパチンコ遊技機。
これによって誘導レールにかかる荷重を支えることが可能となる。
（４）前記誘導レールの円弧の最下部と前記設置台の間には緩衝部材（弾性部材）が配設されていることを特徴とする請求項１若しくは付記１〜２のいずれかに記載のパチンコ遊技機。
これによって誘導レールの振動が緩衝部材によって緩衝されて下方に伝わりにくくなると同時に、荷重に対しては誘導レールがたわんで緩衝部材を介して設置台に当接するために荷重を支えることが可能となる。
（５）前記誘導レールの円弧の最下部位置は前記設置台に近接していることを特徴とする請求項１若しくは付記１〜２のいずれかに記載のパチンコ遊技機。
これによって誘導レールの振動が下方に伝わりにくくなると同時に、荷重に対して誘導レールがたわんで設置台に当接するために荷重を支えることが可能となる。
（６）前記ユニット体の背板は前記遊技面と面一であることを特徴とする請求項１若しくは付記１〜５のいずれかに記載のパチンコ遊技機。
これによって、遊技機の前後の厚みを薄くすることが可能となる。また、遊技面２０もすっきりして遊技者にとっても好ましい。
（７）前記外レールのパチンコ球の滑走面には金属製の補強レールが装着されていることを特徴とする請求項１若しくは付記１〜６のいずれかに記載のパチンコ遊技機。これによってパチンコ球が滑走して最も摩耗しやすい部分が保護されることとなりレールユニットが長持ちする。補強レールを着脱可能としてもよい。
（８）前記誘導レールの円弧の最下部位置には補強構造が施されていることを特徴とする請求項１若しくは付記１〜７のいずれかに記載のパチンコ遊技機。
これによって誘導レールが設置台に当接した際に荷重がかかっても破損しにくくなる。
（９）前記誘導レールは周囲を包囲するフランジを備え、同フランジを介して遊技面に固定されることを特徴とする付記１〜８のいずれかに記載のパチンコ遊技機。
これによって、誘導レールはプラスチック製であってもしっかりと遊技面に固定されることとなる。
（１０）前記フランジは透明であることを特徴とする付記９に記載のパチンコ遊技機。
これによって遊技者は遊技面に施された装飾を目視することが可能となる。
（１１）前記フランジは遊技面に施された装飾と合致させることを特徴とする付記９に記載のパチンコ遊技機。
これによって遊技面に施された装飾が不自然に隠されてしまうことがなく、遊技面が見苦しくなってしまうことがない。
（１２）前記内レールと外レールとの重複箇所に形成されたパチンコ球の通路は遊技面に接する背面壁によって連結されていることを特徴とする請求項１若しくは付記１〜１１のいずれかに記載のパチンコ遊技機。
これによって通路の強度が確保される。
（１３）前記背面壁は透明であることを特徴とする付記１２に記載のパチンコ遊技機。
これによって遊技者は遊技面に施された装飾を目視することが可能となる。
（１４）前記背面壁は扉枠の窓穴から露出する箇所についてはカットされていることを特徴とする付記１２に記載のパチンコ遊技機。
これによって少なくとも窓穴に正対した位置からは不自然に遊技面の装飾が隠されてしまうということがなくなる。
（１５）前記背面壁は遊技面に施された装飾と合致させることを特徴とする付記１２に記載のパチンコ遊技機。
これによって遊技面に施された装飾が不自然に隠されてしまうことがなく、遊技面が見苦しくなってしまうことがない。
（１６）前記内レールの最下端位置には補強構造が施されていることを特徴とする付記１〜１５のいずれかに記載のパチンコ遊技機。ここに補強構造とは上記実施の形態ではリブ１３９が対応する。これによってパチンコ球が最も集中する内レールの最下端位置が補強されて内レールに不具合が生じにくくなる。
（１７）前記内レールの最下端位置には補強部材を兼ねた緩衝部材が配設されていることを特徴とする付記１〜１５のいずれかに記載のパチンコ遊技機。上記実施の形態ではアウト球誘導部材１４４が対応する。
（１８）前記扉枠には一体化して前記遊技台に対して開閉可能に支持され同遊技台方向から供給されるパチンコ球を貯留するパチンコ球受け皿が形成された受け皿扉枠が併設されていることを特徴とする請求項１若しくは付記１〜１６のいずれかに記載のパチンコ遊技機。
【符号の説明】
【００３６】
１…支持枠体としての外枠、４…遊技機本体、５…遊技盤、７…扉枠、２０…遊技面、２３…パチンコ球発射機構、２５…誘導レールとしての内レール、２６…誘導レールとしての外レール、３０…アウト球回収口、１２５…レールユニット。
【図１】
2010240485.tif 000003
【図２】
2010240485.tif 000004
【図３】
2010240485.tif 000005
【図４】
2010240485.tif 000006
【図５】
2010240485.tif 000007
【図６】
2010240485.tif 000008
【図７】
2010240485.tif 000009
【図８】
2010240485.tif 000010
【図９】
2010240485.tif 000011
【図１０】
2010240485.tif 000012
【図１１】
2010240485.tif 000013
【図１２】
2010240485.tif 000014
【図１３】
2010240485.tif 000015
【図１４】
2010240485.tif 000016
【図１５】
2010240485.tif 000017
【図１６】
2010240485.tif 000018
【図１７】
2010240485.tif 000019
【図１８】
2010240485.tif 000020
【図１９】
2010240485.tif 000021
【図２０】
2010240485.tif 000022
【図２１】
2010240485.tif 000023
【図２２】
2010240485.tif 000024
【図２３】
2010240485.tif 000025
【図２４】
2010240485.tif 000026
【図２５】
2010240485.tif 000027
【図２６】
2010240485.tif 000028
【図２７】
2010240485.tif 000029
【図２８】
2010240485.tif 000030
【図２９】
2010240485.tif 000031
【図３０】
2010240485.tif 000032
【図３１】
2010240485.tif 000033
【図３２】
2010240485.tif 000034
【図３３】
2010240485.tif 000035
【図３４】
2010240485.tif 000036
【図３５】
2010240485.tif 000037
【図３６】
2010240485.tif 000038
【図３７】
2010240485.tif 000039
【図３８】
2010240485.tif 000040